(57)【要約】【課題】機械的強度に強く、また脚内部にカビが生えたり、錆が生じたりしない脚部を有するコンベヤ装置を提供する。【解決手段】物品を搬送するコンベヤ本体２と、このコンベヤ本体を支える複数の脚部３をコンベヤ本体に備えるコンベヤ装置１であり、該脚部の長手方向に交差する脚部断面形状が多角形の少なくとも一辺を開口した形状、または、円弧状であり、また、脚部断面形状の少なくとも内側に光触媒を含有する塗膜が形成されている。【選択図】図１
2015202927.tif 000002
【特許請求の範囲】
【請求項１】
物品を搬送するコンベヤ本体と、このコンベヤ本体を支える複数の脚部を前記コンベヤ本体に備えてなるコンベヤ装置であって、
前記脚部は、該脚部の長手方向に交差する脚部断面形状が多角形の少なくとも一辺を開口した形状、または、円弧状であることを特徴するコンベヤ装置。
【請求項２】
前記脚部断面形状が円弧状であることを特徴する請求項１記載のコンベヤ装置。
【請求項３】
前記円弧状が半円形状であることを特徴とする請求項２記載のコンベヤ装置。
【請求項４】
前記脚部断面形状の少なくとも内側に光触媒を含有する塗膜が形成されていることを特徴とする請求項１、請求項２または請求項３記載のコンベヤ装置。
【請求項５】
前記コンベヤ本体の搬送面が無端ベルトにより形成されていることを特徴とする請求項１から請求項４の少なくとも１項記載のコンベヤ装置。
【請求項６】
前記コンベヤ本体は、コンベヤ進行方向の片側に配置されている複数の脚部により支持されている片持ち構造であることを特徴とする請求項１から請求項５の少なくとも１項記載のコンベヤ装置。
【発明の詳細な説明】
【技術分野】
【０００１】
この発明はコンベヤ装置に関し、特に新しい脚部構造を備えたコンベヤ装置に関する。
【背景技術】
【０００２】
食品や医薬品等の小物、ばら物を搬送する用途として使用されるコンベヤ装置は、搬送物へのゴミや汚れの付着を防止するために、コンベヤの搬送面、およびその周辺の機器を常時清潔にしておく必要がある。そのため、コンベヤ装置に汚れが生じたとき洗浄するか、あるいは見た目に汚れが生じていない場合でも定期的に洗浄している。
【０００３】
簡単な作業で脚部を取り外し容易に洗浄できる脚部構造として、コンベヤフレーム上に配設される無端ベルトを駆動させるようにした小型ベルトコンベヤにおいて、ベルトコンベヤを駆動する駆動ローラユニットの下部に、第１の脚柱を配設し、コンベヤフレームの長手方向の他端側に、コンベヤフレームに対して着脱可能な第２の脚柱を配設したコンベヤ脚部構造が提案されている（特許文献１）。
【０００４】
従来のコンベヤ本体を支えるために設けられている脚は、機械的強度を維持するため、断面四角形状の筒状体を用いることが多い。また、物品の搬送方向に対して直角方向に対となって設けられているため、これら対となる脚同士を固定する支持杆を設ける場合が多く、この支持杆などを取り付けしやすくするためにも脚は断面四角形状の筒状体を用いることが多い。
【０００５】
しかしながら、断面四角形状の筒状体からなる脚は、食品用コンベヤ装置などの使用環境、または清浄を保持するために洗浄を繰り返すことなどにより、脚内部に水分または湿気が滞留しやすくなり、カビが生えたり、錆が生じたりして、食品用コンベヤ装置などの使用環境に適さなくなるという問題がある。
また、食品用コンベヤ装置は、洗浄を容易にするため、無端ベルトを取り外すことが多く、そのため片持ち構造のコンベヤ装置となることが多い。無端ベルトを支持するために、コンベヤ装置の脚は片持ち状態での機械的強度に耐える構造が必要とされる。
【０００６】
一方、光触媒能を有する塗料として、チタンを含む水溶液と塩基性物質から作製した水酸化チタンゲルに過酸化水素水を作用させた後に、８０℃以上において加熱処理あるいはオートクレーブ中において加熱処理したことによって得られたアナターゼからなる酸化チタン微粒子を分散した液体が知られている（特許文献２）。また、金属チタン、チタン酸化物、もしくはチタン水和物からなる固体状チタン化合物に、チタンの量に対して過剰の水酸基を有する塩基性物質を加え、さらに過酸化水素水を加えて溶液化し、チタン化合物を析出分離した後に洗浄してチタンイオン、チタン含有イオンおよび水素イオン以外の陽イオンの除去を行った後に、過酸化水素水を加えて溶解することを特徴とするチタン酸化物形成用溶液が知られている（特許文献３）。
【先行技術文献】
【特許文献】
【０００７】
【特許文献１】特開２００１−８０７１７号公報
【特許文献２】特許第２９３８３７６号公報
【特許文献３】特許第３１２２６５８号公報
【発明の概要】
【発明が解決しようとする課題】
【０００８】
本発明は、上記問題に対処するためになされたもので、機械的強度に強く、また脚内部にカビが生えたり、錆が生じたりしない脚部を有するコンベヤ装置の提供を目的とする。
【課題を解決するための手段】
【０００９】
本発明のコンベヤ装置は、物品を搬送するコンベヤ本体と、このコンベヤ本体を支える複数の脚部をコンベヤ本体に備えるコンベヤ装置である。このコンベヤ装置の脚部は、該脚部の長手方向に交差する脚部断面形状が多角形の少なくとも一辺を開口した形状、または、円弧状であることを特徴する。特に、脚部断面形状が円弧状であることを特徴する。さらに、その円弧状が半円形状であることを特徴とする。
【００１０】
本発明のコンベヤ装置は、脚部断面形状の少なくとも内側に光触媒を含有する塗膜が形成されている脚部を有することを特徴とする。また、コンベヤ本体の搬送面が無端ベルトにより形成されていることを特徴とする。また、上記コンベヤ本体は、コンベヤ進行方向の片側に配置されている複数の脚部により支持されている片持ち構造であることを特徴とする。
【発明の効果】
【００１１】
本発明のコンベヤ装置は、脚部の長手方向に交差する脚部断面形状が多角形の少なくとも一辺を開口した形状、または、円弧状であるので、従来の四角柱脚に比較して、脚内部に水分または湿気が滞留しない。さらに、脚内側に光触媒を含有する塗膜が形成されているので、清浄度を保つとともに、カビの発生を防ぐことができる。特に脚部断面形状を円弧状とすることにより、片持ち構造のコンベヤ装置であってもコンベヤ本体を水平に保持する機械的強度に優れる。
【図面の簡単な説明】
【００１２】
【図１】コンベヤ装置の一実施形態を示す図である。
【図２】脚部の要部を示す図である。
【図３】脚部の断面形状を示す図である。
【図４】片持脚部に荷重が印加されたときの応力および変位量を示す図である。
【発明を実施するための形態】
【００１３】
本発明のコンベヤ装置の一実施形態を図１により説明する。図１（ａ）はコンベヤ装置の平面図であり、図１（ｂ）は正面図であり、図１（ｃ）は側面図である。
本発明のコンベヤ装置１は、物品（図示を省略）を搬送する長尺状のコンベヤ本体２と、このコンベヤ本体２を支える複数の脚部３とを備えている。コンベヤ本体２はコンベヤフレーム２ａの長さ方向両端に設けられたテールプーリ２ｂに架け渡された無端ベルト４を備えている。無端ベルト４には、物品搬送面の裏面側に凸状突起４ａが形成されており、この凸状突起４ａとテールプーリ２ｂに形成されている凹状溝２ｃとが係合することで無端ベルト４の蛇行を防いでいる。無端ベルト４は、駆動ローラ５ａおよびスナップローラ５ｂを備え、コンベヤ本体２裏面に配置されている駆動ベース５により駆動され、この無端ベルト４上を物品が搬送される。６は駆動ベース５の操作盤である。
【００１４】
脚部３は、図１（ｃ）に示すように、脚部３ａおよび３ｂから構成され、脚部３ａは、コンベヤフレーム２ａを構成する長さ方向側枠に少なくとも２個固定されて、コンベヤフレーム２ａを支持する。脚部３ａが固定されている側枠に対して反対側の側枠には脚部３ｂが固定されておらず、コンベヤフレーム２ａは片持ち状態となっている。片持ち状態とすることにより、無端ベルト４の着脱が容易となる。脚部３ｂは脚部３ａの上部位置３ｃにて水平方向に固定され、上記反対側の側枠側で垂直に曲げられている。なお、コンベヤ装置運転中は、脚部３ｂに設けられたフック７によりコンベヤフレーム２ａが支持される。脚部３ａおよび３ｂはその下端近傍部で水平継ぎ材８により互いに連結されており、脚部３ａおよび３ｂの下端に高さ調整用アジャスタ９が取付けられている。
【００１５】
脚部３の要部を図２に示す。また、図２のＡ−Ａ拡大断面図を図３に示す。
図２は、脚部の長手方向に交差する脚部断面形状が図３（ａ）、図３（ｂ）に示すように円弧状の場合の例である。
脚部３ａおよび３ｂは、長方形の板を短径の中心線より湾曲させて、板材の内周面および外周面の断面形状を円弧状とする。好ましい断面形状は図３（ａ）に示すように半円形状である。脚部を形成する板材の内周面および外周面の断面形状は円弧状でもよく、また、多角形の少なくとも一辺を開口した形状であってもよい。半円形状以外の円弧状の場合を図３（ｂ）に、多角形の場合を図３（ｃ）に示す。脚部３の一端が解放している図３（ａ）〜（ｃ）の構造体となることにより、脚部３の内部に水分または湿気が滞留できなくなる。
【００１６】
脚部３は、片持ち状態でコンベヤフレーム２ａを支持している。片持ち状態の場合、図２に示すＹ方向、Ｘ方向にそれぞれ荷重がかかり、それに伴い脚部３ａおよび丸棒２ｄに荷重がかる。そのときの応力および変位量のシミュレーションをソリッドワークス２０１３  ３Ｄ（商品名）キャドソフトを用いて行ない、断面半円形の脚部の機械的強度を測定した。
【００１７】
脚部３ａとして、厚さ２ｍｍの長方形ステンレス板を矩形中心線より湾曲させてＲ３０ｍｍの半円形状に成形した。シミュレーションにあたり、脚部３ａの長さは１０００ｍｍおよび７００ｍｍの二種類とし、脚部３ｂを結合しない片持ち状態での応力および変位量を求めた。
脚部３ａ先端部にテールプーリ２ｂの軸となる丸棒２ｄ（φ２０ｍｍ、長さ３４０ｍｍ）を取り付け、脚部３ａおよび丸棒２ｄに荷重が印加されたときの応力および変位量をシミュレーションした。結果を図４に示す。図４（ａ）は脚部３ａの長さが１０００ｍｍ時のミーゼス応力であり、図４（ｂ）は脚部３ａの長さが１０００ｍｍ時の変位量である。また、図４（ｃ）は脚部３ａの長さが７００ｍｍ時のミーゼス応力であり、図４（ｄ）は脚部３ａの長さが７００ｍｍ時の変位量である。
【００１８】
図４（ａ）〜図４（ｄ）に示すように、応力は、脚部３ａの長さが１０００ｍｍおよび７００ｍｍのいずれの場合であっても、降伏強さに対してミーゼス応力が十分に小さく、また、変位量も１０００ｍｍの場合に最大で約０．０３９ｍｍであり、７００ｍｍの場合に最大で約０．０２３ｍｍであり、半円形状の脚部３であっても実用上問題ない十分な機械的強度を有することが分かった。
なお、運転時にはフック７によりコンベヤフレーム２ａは両持ち状態となるため、半円形状の脚部３であっても機械的強度が角柱状の脚部に比較して劣るなどの問題が生じない。
【００１９】
図３に示すように、脚部３の内周面側に光触媒を含有する塗膜１０が形成されている。塗膜１０を形成することにより、表面の清浄度を保つとともに、カビの発生を防ぐことができる。塗膜１０としては、分散性酸化チタンを含む光触媒塗膜であることが好ましい。この分散性酸化チタンは、銀や銅などの金属粒子を含むことなく、ペルオキソ基を含むアナターゼ型酸化チタンおよび水酸基を含むアナターゼ型酸化チタンの少なくとも一方を含む酸化チタン塗料であることが好ましい。このような塗料の市販品としてはサガンコート（鯤コーポレーション社製）、バイオミミックコート（バイオミミック社製）等がある。
光触媒を含有する塗膜１０は、光が照射されることにより触媒機能が発揮されるので、内周面全面に光照射が容易にできる半円形の断面を有する脚部３が好ましい。
【００２０】
塗膜１０の形成方法としては、光触媒を含有する塗料を脚部３の内周面側に塗布後、室温で乾燥させればよいが、必要に応じて、１００〜４００℃の温度での加温処理や、紫外線の照射処理を行うことが好ましい。また、光触媒を含有する塗料塗布前に、必要に応じて、下地層を形成することができる。
【００２１】
上記塗膜１０は、脚部３の内周面だけでなく、脚部３の外周面、コンベヤフレーム２ａの外周面、テールプーリ２ｂ、駆動ローラ５ａ、スナップローラ５ｂ、無端ベルト４等の表面に形成してもよい。特に洗浄作業中に洗浄水などが触れる箇所に光触媒塗膜を形成することで、防カビ、抗菌性に優れたコンベヤベルトが得られる。
【００２２】
本発明のコンベヤ装置について、図１に示すように駆動部がコンベヤフレーム下部中央に配置されているセンタードライブ方式のコンベヤベルトについて説明したが、駆動部がローラ端部に配置されているヘッドドライブ方式のコンベヤベルト、センタードライブ方式、ダイレクトドライブ方式、モータプーリドライブ方式等についても適用できる。
【００２３】
本発明のコンベヤ装置は、断面形状が多角形の少なくとも一辺を開口した形状、または、円弧状であることを特徴とする脚部を用いることができるコンベヤ装置であればよく、上記ベルト駆動コンベヤ装置以外に、ローラ駆動方式のコンベヤ装置、プラスチックベルトモデル、ネットベルトモデル、トップチェンモデル等に使用できる。
【産業上の利用可能性】
【００２４】
本発明のコンベヤ装置は、従来の四角柱脚に比較して、脚内部に水分または湿気が滞留することなく、また、脚内側に光触媒を含有する塗膜が形成されているので、清浄度を保つとともに、カビの発生を防ぐことができるので、清浄度を要求される食品や医薬品等に使用されるコンベヤ装置に利用できる。
【符号の説明】
【００２５】
１    コンベヤ装置
２    コンベヤ本体
３    脚部
４    無端ベルト
５    駆動ベース
６    操作盤
７    フック
８    水平継ぎ材
９    高さ調整用アジャスタ
１０  塗膜
【図１】
2015202927.tif 000003
【図２】
2015202927.tif 000004
【図３】
2015202927.tif 000005
【図４】
2015202927.tif 000006